(57)【要約】 【課題】  本発明は通気口を有する帽子用のつばに関するものであって、製造コストが廉価で製作容易な帽子用のつばを提供する。【手段】  本発明の帽子用のつばは、通気口を有する帽子用のつばであって、該つばは前記通気口の上部を形成する袋状の生地と、前記通気口の下部を形成する生地とから構成され、前記袋状の生地にその形状を保持するための芯材が挿入されたことを特徴とする。前記通気口の下部を形成する生地が袋状であり、該袋状の生地にその形状を保持するための芯材が挿入されたことが好ましい。 【選択図】図１
2019073815.tif 000002
【特許請求の範囲】
【請求項１】
通気口を有する帽子用のつばであって、該つばは前記通気口の上部を形成する袋状の生地と、前記通気口の下部を形成する生地とから構成され、前記袋状の生地にその形状を保持するための芯材が挿入されたことを特徴とする。
【請求項２】
前記通気口の下部を形成する生地を前記通気口の上部と重なるように配置した請求項１記載の帽子用のつば。
【請求項３】
前記通気口の下部を形成する生地が袋状であり、該袋状の生地にその形状を保持するための芯材が挿入された請求項１または２記載の帽子用のつば。
【請求項４】
前記通気口の下部を形成する袋状の生地に前記芯材を挿入した後に袋の口を閉じ、該閉じられた袋状の生地を前記通気口の上部を形成する袋状の生地に固定した請求項３記載の帽子用のつば。
【請求項５】
前記芯材が抜型で平面的に製造された請求項１〜４のいずれかに記載の帽子用のつば。
【発明の詳細な説明】
【技術分野】
【０００１】
この発明は、通気口を有する帽子用のつばに関するものである。
【背景技術】
【０００２】
特許文献１には、通気性と遮光性を同時に確保することが可能であり、かつ、製作容易な帽子が記載されている。本発明によれば、頭周り部３の少なくとも前部３ａと庇部４とを別パーツとして合成樹脂により成型したので、各パーツを予め生地で包んだ後に相互に接続し、頭周り部３の前部３ａ以外の部分および冠部２を生地で構成すれば、全体の外観を生地で統一した帽子を容易に製作することができる。
しかしながら、頭周り部３の前部３ａと庇部４とをそれぞれ金型等で立体的に成型するため、平面的に製造される一般的な帽子用のつば芯と比較すると製造コストが高額になることに加え、重量化を避けることができない。また、成形品のばらつきやロス率も比較的高く、形状を変更する場合には金型を新たに製作する必要がある。さらに、頭周り部３の前部３ａと庇部４がそれぞれ立体形状であるため、各パーツを生地で包む場合には生産効率が悪くなるという問題があった。また、合成樹脂で成型された各パーツを相互に接続することは、従来の帽子製作と比較すると煩雑な工程であった。
【０００３】
特許文献２には、帽体２の前部下方に開口５を有するため該開口５から外気が導入され、かつ、前記開口５の上部周縁に沿って設けられた開口鍔４により前記開口５から差し込む日光を遮ることが可能となる帽子が記載されている。本発明によれば、通気性および遮光性を有する帽子を、従来の帽子の製造方法と同様の方法で製作することができる。
しかしながら、ベルト３に基本鍔６を設けるため、従来の帽子と比べると帽体と鍔との接続強度が不安定であり、また、基本鍔６と開口鍔４が相互に接続されないという点からしても、帽子全体としての強度が不安定であるという問題があった。
【先行技術文献】
【特許文献】
【０００４】
【特許文献１】特開２０１５−１１７４４３号公報
【特許文献２】特開２０１３−６７９０２号公報
【発明の概要】
【発明が解決しようとする課題】
【０００５】
本発明は通気口を有する帽子用のつばに関するものであって、軽量かつ製造コストが廉価で製作容易な帽子用のつばを提供する。
【課題を解決するための手段】
【０００６】
本発明の帽子用のつばは、通気口を有する帽子用のつばであって、該つばは前記通気口の上部を形成する袋状の生地と、前記通気口の下部を形成する生地とから構成され、前記袋状の生地にその形状を保持するための芯材が挿入されたことを特徴とする。
【０００７】
前記通気口の下部を形成する生地を前記通気口の上部と重なるように配置したことが好ましい。
【０００８】
前記通気口の下部を形成する生地が袋状であり、該袋状の生地にその形状を保持するための芯材が挿入されたことが好ましい。
【０００９】
前記通気口の下部を形成する袋状の生地に前記芯材を挿入した後に袋の口を閉じ、該閉じられた袋状の生地を前記通気口の上部を形成する袋状の生地に固定したことが好ましい。
【００１０】
前記芯材が抜型で平面的に製造されたことが好ましい。
【発明の効果】
【００１１】
本発明に係る帽子用のつばによれば、通気口の上部を形成する袋状の生地に芯材を挿入することにより、軽量かつ製造コストが廉価な通気口を有する帽子用のつばを極めて容易に製作することができる。
【図面の簡単な説明】
【００１２】
【図１】本発明の帽子用のつば１を示す斜視図である。
【図２】本発明の帽子用のつば１を構成する袋状の生地２の斜視図（図２（１））、通気口４の下部を形成する生地３の平面図（図２（２））、および芯材５の平面図（図２（３））である。
【図３】本発明の帽子用のつば１の製作方法を示す図である。
【図４】本発明の別の実施形態を示す図である。
【図５】本発明のさらに別の実施形態を示す図である。
【図６】図５の実施形態に用いられる芯材を示す図である。
【発明を実施するための形態】
【００１３】
以下、本発明に係る帽子用のつば１の実施形態を図面に基づいて説明する。
図１は、本発明の帽子用のつば１を示す斜視図であり、帽子用のつば１の中央部には通気口４が示されている。帽子用のつば１は、通気口４の上部を形成する袋状の生地２と、前記通気口４の下部を形成する生地３とから構成される。
【００１４】
図２は、本発明の帽子用のつば１を構成する袋状の生地２の斜視図（図２（１））、通気口４の下部を形成する生地３の平面図（図２（２））および前記袋状の生地２に挿入される芯材５の平面図（図２（３））である。
【００１５】
本実施形態において、帽子用のつば１を構成する袋状の生地２は略Ｈ型であり、その中央が前記通気口４の上部２２を形成し、その両端が帽子用のつば１の両側部を形成している（図１または図２（１）を参照）。また、図２（１）に示すとおり、後記する芯材５を挿入するための開口部２１が袋状の生地２の付け根部分に設けられている。
【００１６】
本実施形態では、袋状の生地２は一般的なベースボールキャップ等に用いられるつば形状に類似した外形において、先端中央部を略コの字型に欠くことよって全体として略Ｈ型の外形を形成している。袋状の生地２の外形に格別の制限はないが、一般的なベースボールキャップ等の形状に類似した外形を採用することにより、従来の帽子用のつばと同等の作業工程・費用で製作することが可能となる。
【００１７】
前記通気口４を設ける位置や数、大きさに格別の制限はなく、通気口４を複数設けて通気性やデザイン性を向上することも可能である。本実施形態では、通気口４を帽子用のつば１の中央に設けることで、帽子の被着者の額に効率よく風を当てることを可能としている。
【００１８】
本実施形態では、開口部２１を袋状の生地２の付け根部分に設けたが、開口部２１を設ける位置について格別の制限はなく、芯材５を挿入することができる構成であれば袋状の生地２のどの箇所に設けても良い。ただし、製作の容易性と外観のおさまりを考慮すると、袋状の生地２の付け根部分に開口部２１を設けることが好ましい。開口部２１の大きさや形状に格別の制限はなく、芯材５を挿入することのできる大きさ・形状であれば良い。
【００１９】
本発明において袋状の生地２の素材としては、天然繊維やナイロン、ポリエステルその他の合成繊維、合成樹脂、合成ゴム等からなる種々の織布、不織布、レース、フェルト、等が例示される。また、皮革、スウェード等も用いることができる。なお、帽子用のつば１は被着者が各々の好みに応じて曲げる場合が想定されることから、伸縮性のある素材を用いることが好ましい。
【００２０】
通気口の下部を形成する生地３の形状は、本実施形態では略方形であるが格別の制限はない。素材については、前記袋状の生地２と同様、天然繊維やナイロン、ポリエステルその他の合成繊維、合成樹脂、合成ゴム等からなる種々の織布、不織布、レース、フェルト、等が用いられるがこれらに限定されない。また、帽子用のつば１は被着者が各々の好みに応じて曲げる場合が想定されることから、伸縮性のある素材を用いることが好ましい。
【００２１】
袋状の生地２に挿入される芯材５の形状に格別の制限はないが、袋状の生地２の外形と略同形状とすることにより（図２（３）を参照）、帽子用のつば１の形状保持力が向上するのと同時に、１つの芯材５を袋状の生地２に挿入するだけで良いので製造工程を最小限にすることが可能となる。また、袋状の生地２と略同形状としつつ、帽子用のつば１の形状を保持できる最小限度の大きさに抑えることによって軽量化を図ることもできる。
【００２２】
芯材５の材質としては、一般的な帽子のつば芯の材質と同様にポリエチレンやポリエステルなどが用いられるがこれらに限定されない。芯材５は一般的な帽子用のつばと同様に、抜型で平面的に製造することが好ましい。抜型で平面的に製造することにより、金型で立体的に製造する場合に比較して、生産効率が上がるのと同時に製造コストが廉価になる。
【００２３】
次に、本発明の帽子用のつば１の製作方法について図３を用いて説明する。前記袋状の生地２の裏面生地２Ｂに前記通気口の下部を形成する生地３を縫製し（図３（１）、（２）を参照）、この状態で袋状の生地２に芯材５を挿入し、最後に袋状の表面生地２Ａと裏面生地２Ｂを縫製することにより開口部２１を閉じる。このとき、本発明の帽子用のつば１を帽子本体に取り付けるのと同時に前記開口部２１を閉じても良い。本発明の帽子用のつば１の製作方法に格別の制限はないが、生産効率や外観を考慮して適宜その製作方法が決定される。
【００２４】
本実施形態において、通気口の下部を形成する生地３を通気口の上部２２とその位置が重なるように配置したが、このように配置することによって、通気口４から差し込む太陽光や雨が帽子の被着者に当たらないように構成することが可能となる。
【００２５】
本発明によれば、袋状の生地２に芯材５を挿入することにより、通気口４を有し、外観に生地が現れる帽子用のつば１を極めて容易に製作することができる。また、金型で成型する必要がないため、製造コストが廉価になるのと同時に設計変更も極めて容易になる。さらに、生地２、３を変更するのみで色彩や模様などの外観の変更が可能であり、芯材５を必要最小限の大きさ・厚みに抑えることで軽量化を図ることが可能になる。
【００２６】
次に本発明の他の実施形態を図４（１）を用いて説明する。
本実施形態では、通気口４の下部を形成する生地３を袋状にしている点で、上記の実施形態と異なる。具体的には、生地３の表面生地３Ａと裏面生地３Ｂを貼り合わせて芯材を挿入するための開口部３１を設けている。開口部３１に芯材を挿入することによって、通気口４の形状を適切に保持することが可能となり、結果として通気性やデザイン性を向上させることができる。
【００２７】
開口部３１に挿入する芯材の形状に格別の制限はないが、袋状の生地３の外形と略同形状とすることが好ましい。また、袋状の生地３と略同形状としつつ、通気口４の形状を適切に保持できる最小限度の大きさに抑えることによって軽量化を図ることができる。芯材の材質としては、一般的な帽子のつば芯の材質と同様にポリエチレンやポリエステルなどが用いられるがこれらに限定されない。芯材は一般的な帽子用のつばと同様に、抜型で平面的に製造することが好ましい。抜型で平面的に製造することにより、金型で立体的に製造する場合に比較して、生産効率が上がるのと同時に製造コストが廉価になる。
【００２８】
本実施形態においても、通気口の下部を形成する生地３を通気口の上部２２とその位置が重なるように配置することが好ましいが、開口部３１に芯材を挿入した後に開口部３１を縫製して閉じる場合には、生産効率や外観を考慮した縫製順序で製作することが重要である。つまり、開口部３１から芯材を挿入して開口部３１を縫製して閉じた後に、通気口の上部を形成する袋状の生地２の裏面生地２Ｂと前記袋状の生地３を縫製することが好ましい。
【００２９】
続いて、本発明の別の実施形態について、図４（２）を用いて説明する。
本実施形態では芯材５が中央部５１および側部５２、５３に分割されている点で、上記の実施形態と異なる。このように芯材５を分割することにより、抜型で平面的に製造し易くなるのと同時に軽量化を図ることができる。芯材５の分割方法に格別の制限はなく、製造の容易性や芯材５を挿入した後の外観を考慮して適宜決定される。
【００３０】
次に本発明のさらに別の実施形態について図５および図６を用いて説明する。
本実施形態では、通気口の上部を形成する生地２が略Ｖ型であって（図５（１）を参照）、これに伴い通気口の下部を形成する生地３も略Ｖ型である（図５（２）を参照）。本実施形態において、通気口の上部を形成する生地２および通気口の下部を形成する生地３は共に袋状であって、それぞれ開口部２１、３１を有している。開口部２１、３１にそれぞれ芯材を挿入し、生地２および生地３を縫製すれば本発明の帽子用のつば１を容易に製作することができる。
【００３１】
袋状の生地２、３に挿入される芯材５はそれぞれ別個のものとしても良いが、図６（１）に示すように１個の共有のものとすれば、製作が容易になる。図６（２）は、この芯材５が袋状の生地２、３に挿入された状態を示す透視図である。
【産業上の利用可能性】
【００３２】
以上、通気口を有する帽子用のつばの実施形態について説明したが、本発明に係る帽子用のつばは、キャップだけではなく、ハンチング、キャスケットなど、幅広く適用することができる。
【符号の説明】
【００３３】
１      帽子用のつば
２      通気口の上部を形成する袋状の生地
２Ａ    表面生地
２Ｂ    裏面生地
２１    開口部
２２    通気口の上部
３      通気口の下部を形成する生地
３Ａ    表面生地
３Ｂ    裏面生地
３１    開口部
４      通気口
５      芯材
【図１】
2019073815.tif 000003
【図２】
2019073815.tif 000004
【図３】
2019073815.tif 000005
【図４】
2019073815.tif 000006
【図５】
2019073815.tif 000007
【図６】
2019073815.tif 000008